(57)【要約】      （修正有）【課題】市販の有料指定ごみ袋に備えられた取手を活用し、ごみ袋を確実かつ安定的な姿勢で保持する、取手付きごみ袋用折り畳み型スタンドを提供する。【解決手段】一方側縦部材２及び他方側縦部材３、一方側横部材４及び他方側横部材５をそれぞれ備える第１枠体６及び第２枠体７と、第１枠体及び第２枠体を回動可能に連結する２つの連結部材８とを有し、一方側横部材同士が上方で略水平に延び、他方側横部材同士が下方で略水平に延びる姿勢となるように、第１枠体及び第２枠体が組み立てられて構成された枠体組立体９と、一方側横部材のうち他方側横部材と反対側に突出してそれぞれ設けられ、市販の有料指定ゴミ袋の２つの取手部を係止させる部位となるとともに枠体組立体の組立時における把持部位となる、第１突起部１０及び第２突起部１１と、支持板部１２と、キャスター部１３とを有する取手付きごみ袋用折り畳み型スタンド１。【選択図】図１
0003235178.tif 000002
【実用新案登録請求の範囲】
【請求項１】
長さ方向に互いに略平行に延びる一方側縦部材及び他方側縦部材、前記長さ方向に略直交する幅方向に互いに略平行に延びる一方側横部材及び他方側横部材、をそれぞれ備える略四角枠形状の第１枠体及び第２枠体と、前記第１枠体及び前記第２枠体の前記一方側縦部材の中間部同士及び前記他方側縦部材の中間部同士を、それぞれ回動可能に連結する２つの連結部材と、を有し、前記第１枠体及び前記第２枠体の前記一方側横部材同士が上方で略水平に延び、前記第１枠体及び前記第２枠体の前記他方側横部材同士が下方で略水平に延びる姿勢となるように、当該第１枠体及び当該第２枠体が組み立てられて構成された枠体組立体と、
前記第１枠体及び前記第２枠体の前記一方側横部材のうち前記他方側横部材と反対側に突出してそれぞれ設けられ、市販の有料指定ごみ袋の２つの取手部を係止させる被係止部部位となるとともに前記枠体組立体の組立時における把持部位となる、第１突起部及び第２突起部と、
前記第１枠体及び前記第２枠体の前記他方側横部材どうしを接続するとともに、前記第１突起部及び前記第２突起部に前記２つの取手部が係止された状態の前記有料指定ゴミ袋の底部を支持する支持板部と、
前記支持板部に設けられたキャスター部と、
を有することを特徴とする、取手付きごみ袋用折り畳み型スタンド。
【請求項２】
請求項１記載の取手付きごみ袋用折り畳み型スタンドにおいて、
前記第１枠体の前記第１突起部及び前記第２枠体の前記第２突起部を露出させる開口部を上方に形成しつつ、前記枠体組立体の外周部を四方から覆うように取り付けられる略四角筒状のカバーをさらに有する
ことを特徴とする取手付きごみ袋用折り畳み型スタンド。
【請求項３】
請求項２記載の取手付きごみ袋用折り畳み型スタンドにおいて、
前記カバーの外周部に設けられ、予備用の前記有料指定ごみ袋を折り畳み状態で収納する、収納ポケットをさらに有する
ことを特徴とする取手付きごみ袋用折り畳み型スタンド。
【考案の詳細な説明】
【技術分野】
【０００１】
本考案は、取手付きごみ袋用折り畳み型スタンドに関する。
【背景技術】
【０００２】
従来、折り畳みできるごみ袋の保持スタンドが知られている（例えば、特許文献１参照）。この従来技術の折り畳みごみ袋の保持スタンドでは、図１、図３、図４に示すように、Ｘ型に交差するコの字型部材を組み立ててごみ袋の保持スタンドとする構成について記載されている。
【先行技術文献】
【特許文献】
【０００３】
【特許文献１】特開２０１１−１１１２７７号公報
【考案の概要】
【考案が解決しようとする課題】
【０００４】
上記従来技術の折り畳みごみ袋の保持スタンドでは、市販の有料指定ごみ袋でよく見受けられる取手付きの構成について対応しておらず、取手部分を活用してごみ袋を確実かつ安定的な姿勢で保持することに対しては特に配慮されていない。
【０００５】
本考案の目的は、市販の有料指定ごみ袋に備えられた取手を活用し、ごみ袋を確実かつ安定的な姿勢で保持することができる取手付きごみ袋用折り畳み型スタンドを提供することにある。
【課題を解決するための手段】
【０００６】
上記目的を達成するために、本願考案は、長さ方向に互いに略平行に延びる一方側縦部材及び他方側縦部材、前記長さ方向に略直交する幅方向に互いに略平行に延びる一方側横部材及び他方側横部材を、それぞれ備える略四角枠形状の第１枠体及び第２枠体と、前記第１枠体及び前記第２枠体の前記一方側縦部材の中間部同士及び前記他方側縦部材の中間部同士を、それぞれ回動可能に連結する２つの連結部材と、を有し、前記第１枠体及び前記第２枠体の前記一方側横部材同士が上方で略水平に延び、前記第１枠体及び前記第２枠体の前記他方側横部材同士が下方で略水平に延びる姿勢となるように、当該第１枠体及び当該第２枠体が組み立てられて構成された枠体組立体と、前記第１枠体及び前記第２枠体の前記一方側横部材のうち前記他方側横部材と反対側に突出してそれぞれ設けられ、市販の有料指定ごみ袋の２つの取手部を係止させる被係止部部位となるとともに前記枠体組立体の組立時における把持部位となる、第１突起部及び第２突起部と、前記第１枠体及び前記第２枠体の前記他方側横部材同士を接続するとともに、前記第１突起部及び前記第２突起部に前記２つの取手部が係止された状態の前記有料指定ごみ袋の底部を支持する支持板部と、前記支持板部に設けられたキャスター部と、を有する取手付きごみ袋用折り畳み型スタンドであることを特徴としている。
【０００７】
本考案によれば、第１枠体及び第２枠体の一方側・他方側縦部材の中間部同士が連結部材によって回動可能に連結されているので、収納時には第１枠体及び第２枠体が連結されたままの状態で、互いに扁平に重なるように折り畳むことができる。
【０００８】
したがって、組み立て時には、第１枠体及び第２枠体の一方側横部材同士が上方で略水平に延びる姿勢となる。このとき、第１枠体及び第２枠体の一方側横部材に第１突起部及び第２突起部が設けられているので、これらに対し市販の有料指定ごみ袋の２つの取手部を係止させることができる。このように、有料指定ごみ袋に備えられた取手を活用し、ごみ袋を確実かつ安定的な姿勢で保持することができる。
【考案の効果】
【０００９】
本考案によれば、市販の有料指定ごみ袋に備えられた取手を活用し、ごみ袋を確実かつ安定的な姿勢で保持することができる。
【図面の簡単な説明】
【００１０】
【図１】取手付きごみ袋用折り畳み型スタンドを右前方から見た斜視図である。
【図２】取手付きごみ袋用折り畳み型スタンドを前方から見た斜視図である。
【図３】取手付きごみ袋用折り畳み型スタンドを右方向から見た斜視図である。
【図４】取手付きごみ袋用折り畳み型スタンドの上面図である。
【図５】取手付きごみ袋用折り畳み型スタンドを下方から見た斜視図である。
【図６】取手付きごみ袋用折り畳み型スタンドに有料指定ゴミ袋を装着した状態を表す斜視図である。
【図７】取手付きごみ袋用折り畳み型スタンドを折り畳んだ状態を表す斜視図である。
【図８】取手付きごみ袋用折り畳み型スタンドを折り畳んだ状態を表す斜視図である。
【考案を実施するための形態】
【００１１】
以下、本考案の一実施形態を図面にて参照し、説明する。
【００１２】
図１に取手付きごみ袋用折り畳み型スタンド１を右前方から見た斜視図を示す。図１に示す方角は、取手付きごみ袋用折り畳み型スタンド１を組み立てて設置面に設置した際に設置面に垂直な上下方向、上下方向にそれぞれ直交する前後方向及び左右方向である。前後方向及び左右方向とは入れ替わってもかまわないが、この図では、一方側縦部材２が配置される方向を手前側（前方）としている。同様の方向が図２〜図８にも適宜適用される。
【００１３】
取手付きごみ袋用折り畳み型スタンド１は、長さ方向Ｌに互いに略平行に延びる一方側（この図の前方向側）縦部材２及び他方側（この図の後方向側）縦部材３、長さ方向Ｌに略直交する幅方向Ｗに互いに略平行に延びる一方側（この図の上方向側）横部材４及び他方側（この図の下方向側）横部材５をそれぞれ備える略四角枠形状の第１枠体６及び第２枠体７を有する。
【００１４】
この図では、幅方向Ｗすなわち前後方向の寸法が小さい方を第１枠体６とし、大きい方を第２枠体７としているが、逆であってもよい。
【００１５】
取手付きごみ袋用折り畳み型スタンド１は、第１枠体６及び第２枠体７の一方側縦部材２の中間部２５同士及び他方側縦部材３の中間部２５同士をそれぞれ回動可能に連結する２つの連結部材８を有する。連結部材８は例えばボルトと袋ナットとから構成される。
【００１６】
取手付きごみ袋用折り畳み型スタンド１は、第１枠体６及び第２枠体７の一方側横部材４同士が上方で略水平に延び、第１枠体６及び第２枠体７の他方側横部材５同士が下方で略水平に延びる姿勢となるように、第１枠体６及び第２枠体７が組み立てられて構成された枠体組立体９を有する。
【００１７】
取手付きごみ袋用折り畳み型スタンド１は、第１枠体６及び第２枠体７の一方側横部材４のうち他方側横部材５と反対側に突出してそれぞれ設けられ、市販の有料指定ごみ袋の２つの取手部を係止させる被係止部部位となるとともに枠体組立体９の組立時における把持部位となる、第１突起部１０及び第２突起部１１を有する。
【００１８】
取手付きごみ袋用折り畳み型スタンド１は、第１枠体６及び第２枠体７の他方側横部材５同士を接続するとともに、第１突起部１０及び第２突起部１１に前記２つの取手部が係止された状態の前記有料指定ごみ袋の底部を支持する支持板部１２を有する。
【００１９】
取手付きごみ袋用折り畳み型スタンド１は、支持板部１２に設けられたキャスター部１３を有する。
【００２０】
一方側縦部材２、他方側縦部材３、一方側横部材４、他方側横部材５、第１突起部１０、第２突起部１１、支持板部１２の素材は特に限定されるものではないが、この図では、木材により構成されている。
【００２１】
取手付きごみ袋用折り畳み型スタンド１のサイズは、例えば左右方向の幅が約３５センチメートル程度、上下方向の幅が約５８センチメートル程度である。
【００２２】
図２に取手付きごみ袋用折り畳み型スタンド１を前方向から見た斜視図を示す。この図では、４つのキャスター部１３のみが設置面（図示なし）に接触しており、一方側縦部材２、他方側縦部材３、支持板部１２、他方側横部材５は、設置面より上方向に、例えば約８ミリメートル程度、離れて配置されるように構成される。
【００２３】
図３は取手付きごみ袋用折り畳み型スタンド１を右側面から見た斜視図であり、図４は取手付きごみ袋用折り畳み型スタンド１の上面図であり、図５は取手付きごみ袋用折り畳み型スタンド１を下方から見た斜視図である。
【００２４】
図３〜図５に示されるように、支持板部１２は、３枚の木製の板で構成されるビーム部１４からなり、ビーム部１４は他方側横部材５にネジ等で緩まないように固定されている。ビーム部１４は一枚の板のみであってもよいし４枚以上あってもかまわない。キャスター部１３は、支持板部１２の下方側の面に取り付けられている。
【００２５】
他方側横部材５は、２つの一方側縦部材２及び２つの他方側縦部材３のそれぞれの下方側端部に４つの着脱部材１５でそれぞれ取り付けられている。着脱部材１５は、例えばボルトとナットで構成されており、工具を使い、手で簡単に緩めて着脱することができるようになっている。
【００２６】
すなわち、ビーム部１４と他方側横部材５とキャスター部１３とは一体となっており、例えば図５において、これらの一体物を底板部材１６と呼ぶ。また、図５に示すコの字状部材１７は、１つの一方側縦部材２と、１つの他方側縦部材３と、１つの一方側横部材４とから構成される。取手付きごみ袋用折り畳み型スタンド１は２つのコの字状部材１７と、コの字状部材１７に着脱可能に取り付けられた１つの底板部材１６とから構成されている。２つのコの字状部材１７は連結部材８で連結されている。
【００２７】
請求項との対比においては、１つのコの字状部材１７と、前記コの字状部材１７に着脱可能に連結された１つの他方側横部材５とが請求項１に記載の第１枠体６を構成し、別のもう１つのコの字状部材１７と、前記コの字状部材１７に着脱可能に連結された別のもう１つの他方側横部材５とが請求項１に記載の第２枠体７を構成する。
【００２８】
図６に取手付きごみ袋用折り畳み型スタンド１に有料指定ゴミ袋１８を装着した状態を表す斜視図を示す。
【００２９】
取手付きごみ袋用折り畳み型スタンド１は、第１枠体６の第１突起部１０及び第２枠体７の第２突起部１１を露出させる開口部１９を上方に形成しつつ、枠体組立体９の外周部を四方から覆うように取り付けられる略四角筒状のカバー２０をさらに有する。
【００３０】
カバー２０は例えば布等で構成されており、矩形状のカバー２０を枠体組立体９の外周部の四方（この図の前後左右方向）を覆うように巻き付けて、カバー２０の短手方向の端部２１近傍に面ファスナー等を取り付けてカバー２０を枠体組立体９に固定するようになっている。
【００３１】
カバー２０の内周側には４か所のファスナーテープ（面ファスナー）２２が配置される。ファスナーテープ２２は枠体組立体９の上方向端部の４か所、詳細には、一方側横部材４と一方側縦部材２、及び一方側横部材４と他方側縦部材３の接続部位の近傍において、縫合もしくは接着され、一方側縦部材２及び他方側縦部材３の上端付近にそれぞれ接着された別のファスナーテープ（面ファスナー）と貼り合わされて、枠体組立体９とカバー２０とを固定する。
【００３２】
取手付きごみ袋用折り畳み型スタンド１の第１突起部１０及び第２突起部１１に市販の有料指定ごみ袋１８の２つの取手部２３をひっかけて係止させることができるようになっている。カバー２０は上述したように筒状となっているので、有料指定ごみ袋１８を廃棄する際には、カバー２０を枠体組立体９から取り外して枠体組立体９の隙間（第１突起部１０及び第２突起部１１より下方向側の隙間）から有料指定ごみ袋１８を引き出すようになっており、有料指定ごみ袋１８がいっぱいになっていて重くなっていても上方向に持ち上げる必要がない。
【００３３】
取手付きごみ袋用折り畳み型スタンド１は、カバー２０の外周部に設けられ、予備用の有料指定ごみ袋１８を折り畳み状態で収納する、収納ポケット２４をさらに有する。収納ポケット２４はカバー２０と同じ素材で構成されている。
【００３４】
図７、図８は取手付きごみ袋用折り畳み型スタンド１を折り畳んだ状態を表す斜視図である。図７は前方向から見た斜視図であり図８は上方向から見た斜視図である。取手付きごみ袋用折り畳み型スタンド１は、着脱部材１５を手で緩めて取り外すことにより、連結部材８で連結された２つのコの字状部材１７と、底板部材１６と、の２部品に分解されることとなる。連結された２つのコの字状部材１７は扁平状に折り畳まれ、設置面に平置きされている。折り畳まれた２つのコの字状部材１７の上方に底板部材１６を重ねた時、底板部材１６が扁平状のコの字状部材の前後左右方向の寸法の内側に収まるように構成されており、折り畳み時に収納場所をとらないようになっている。
【００３５】
＜実施形態の効果＞
第１枠体６及び第２枠体７の一方側・他方側縦部材２、３の中間部２５同士が連結部材８によって回動可能に連結されているので、収納時には第１枠体６及び第２枠体７が連結されたままの状態で、互いに扁平に重なるように折り畳むことができる。
【００３６】
また、組み立て時には、第１枠体６及び第２枠体７の一方側横部材４同士が上方で略水平に延びる姿勢となる。このとき、第１枠体６及び第２枠体７の一方側横部材４に第１突起部１０及び第２突起部１１が設けられているので、これらに対し市販の有料指定ごみ袋１８の２つの取手部２３を係止させることができる。このように、有料指定ごみ袋１８に備えられた取手２３を活用し、ごみ袋を確実かつ安定的な姿勢で保持することができる。
【００３７】
また、本実施形態では特に、ごみ袋の周囲四方をカバー２０で覆うことにより、ごみ袋及びその中身が外部から見えないように視界を遮ることができるので、美観を向上することができる。
【００３８】
また、本実施形態では特に、カバー２０が収納ポケット２４を有するので、予備のごみ袋をいつでも取り出すことができ、便利である。
【００３９】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００４０】
また、以上既に述べた以外にも、上記実施形態や各変形例による手法を適宜組み合わせて利用しても良い。
【００４１】
その他、一々例示はしないが、本考案は、その趣旨を逸脱しない範囲内において、種々の変更が加えられて実施されるものである。
【符号の説明】
【００４２】
１                取手付きごみ袋用折り畳み型スタンド
２                一方側縦部材
３                他方側縦部材
４                一方側横部材
５                他方側横部材
６                第１枠体
７                第２枠体
８                連結部材
９                枠体組立体
１０              第１突起部
１１              第２突起部
１２              支持板部
１３              キャスター部
１４              ビーム部
１５              着脱部材
１６              底板部材
１７              コの字状部材
１８              有料指定ゴミ袋
１９              開口部
２０              カバー
２１              端部
２２              ファスナーテープ
２３              取手部
２４              収納ポケット
２５              中間部
【図１】
0003235178.tif 000003
【図２】
0003235178.tif 000004
【図３】
0003235178.tif 000005
【図４】
0003235178.tif 000006
【図５】
0003235178.tif 000007
【図６】
0003235178.tif 000008
【図７】
0003235178.tif 000009
【図８】
0003235178.tif 000010